(57)【要約】【課題】自動販売機のパネルに設けたスイッチ装着用の装着開口に対してスイッチ係止用の係止部材を着脱自在に構成することによって、筐体の前面パネルを製造し直したり、交換することなく、係止部材の取付け位置を変更する等の簡単な作業を行うだけで、任意の寸法、形状のスイッチや、任意のオプションユニットをスイッチ装着用のスペースに組み込むことが可能となる。【解決手段】筐体２のパネル３に設けた装着開口４内に差し渡した係止部材３０に対して口座選択スイッチ４０を着脱可能に取り付けた自動券売機において、装着開口の対向し合う縁部に対して係止部材の両端部を夫々着脱自在に取付けた。【選択図】      図１
2005062934.tif 000002
【特許請求の範囲】
【請求項１】
筐体のパネルに設けた装着開口内に差し渡した係止部材に対して口座選択スイッチを着脱可能に取り付けた自動券売機において、
前記装着開口の対向し合う縁部に対して前記係止部材の両端部を夫々着脱自在に取付けたことを特徴とする自動券売機のパネル構造。
【請求項２】
前記係止部材は、装着開口の横幅又は縦幅を超える長さを有した直線状の板金製であり、複数の係止部材を、前記装着開口内に横方向、或いは縦方向に差し渡して取り付けたことを特徴とする請求項１に記載の自動券売機のパネル構造。
【請求項３】
筐体のパネルに設けた装着開口内に着脱自在に差し渡される支持機構部と、該支持機構部に対して着脱自在に取付けられる口座選択スイッチと、を備えた自動券売機において、
前記支持機構部は、オプションユニットを着脱自在に支持する支持部を備えた枠体と、該枠体の内側端縁から一体的に延びた係止部材と、を備え、
前記枠体の外側端縁と、前記係止部材の外側端縁は、夫々前記装着開口の対向し合う縁部に対して着脱自在に係止される構成を備えていることを特徴とする自動券売機のパネル構造。
【請求項４】
請求項１、２、３に記載された係止部材の端縁、及び請求項３に記載された枠体の外側端縁には、前記装着開口の端縁にネジ止めするための穴と、該穴の両側に配置した位置決め用の凹所、或いは凸所が設けられていることを特徴とする自動券売機のパネル構造。
【発明の詳細な説明】
【０００１】
【発明の属する技術分野】
本発明は食堂等に設置される自動券売機の改良に関し、特に従来固定的であった口座選択スイッチ装着パネルのレイアウトを自由にすることを可能とした自動券売機のパネル構造に関する。
【０００２】
【従来の技術】
従来から自動販売機を用いた飲食物等の商品販売が行われており、利用者はいつでも手軽に希望商品を購入することができる。また、自動販売機は、駅の切符販売や食堂の食券販売にも券売機として利用されており、我々の社会生活において自動販売機を利用する機会は今後さらに増大するものと予想される。
図１０（ａ）は従来食券販売機の外観構成を示す正面図であり、（ｂ）はその要部拡大図である。筐体１００の前面には、前面パネル１０１が配置されている。前面パネル１０１には大面積の装着開口１０２が形成され、装着開口１０２内には多数の口座選択スイッチ１１０が着脱可能に装着されている。（ｂ）は口座スイッチが装着されていない状態の装着開口を示しており、装着開口１０２の左右の端縁間に複数の桟１０３が平行に差し渡し固定されている。各桟１０３は、均一な上下間隔となるように予め装着開口１０２の左右端縁に両端部を溶着されている。口座選択スイッチ１１０は、前面に品名や金額等を表示したスイッチ本体１１１と、スイッチ本体１１１から後方へ突出した弾性係止爪１１２と、を備え、各桟１０３，及び装着開口１０２の上下の端縁に設けた被係止部に弾性係止爪１１２を係止することによって着脱される（例えば、特開平０６−１１１１０１号、特開２００２−０６３６３４、特開２００２−２０８０５９）。
【０００３】
しかし、従来の券売機における口座選択スイッチ装着用の開口は、固定配置された桟１０３によって口座選択スイッチ１１０の装着スペースが固定的に決められていたため、特定サイズの口座選択スイッチしか装着することができず、必要に応じて異なったサイズの口座選択スイッチの装着を可能とするためには前面パネル自体を製造し直す必要があり、製造コストの増大を招く原因となっている。
また、従来の自動券売機にあっては、予め一義的に決められた装着スペース内に所定寸法の口座選択スイッチをはめ込むか、或いはスイッチと同寸法の目隠し用またはメニュー用カバーをはめ込むことによってスイッチのレイアウトを任意（フリーレイアウト化）している。しかし、従来のフリーレイアウト化にあっては、決められた狭いスペース内に同一寸法のスイッチの取付けができるに過ぎず、狭い面積のスイッチ本体にメニューや金額を表示する必要があるため、メニュー探しやメニューの差別化において不利不便があった。
更に、プリペイドカードリーダライタ、ＩＤカードリーダライタ、バーコードリーダライタ等のオプション機器を既存の筐体に組み込む場合に、口座選択スイッチ装着用の開口を利用できれば、大幅な改造が不要となるため便利であるが、従来のスイッチ装着用の開口はスイッチ専用に設計されているため、そのように柔軟な対応はできなかった。
【特許文献１】特開平０６−１１１１０１号
【特許文献２】特開２００２−０６３６３４
【特許文献３】特開２００２−２０８０５９
【０００４】
【発明が解決しようとする課題】
本発明は上記に鑑みてなされたものであり、従来装着開口に対して固定されていた口座選択スイッチ取付け用の桟を、着脱式に改良することによって、筐体の前面パネルを製造し直したり、交換することなく、桟の取付け位置を変更する等の簡単な作業を行うだけで、任意の寸法の口座選択スイッチや、任意のユニットをスイッチ装着用のスペースに組み込むことを可能とした自動券売機のパネル構造を提供することを目的とする。
【０００５】
【課題を解決するための手段】
上記課題を解決するため、請求項１の発明は、筐体のパネルに設けた装着開口内に差し渡した係止部材に対して口座選択スイッチを着脱可能に取り付けた自動券売機において、前記装着開口の対向し合う縁部に対して前記係止部材の両端部を夫々着脱自在に取付けたことを特徴とする。
大面積の装着開口を複数の係止部材によって複数の小スペースに区画し、この小スペース内にスイッチを着脱自在に装着するよう構成した場合、スイッチ装着用のスペースの寸法が一義的に決まっていると、レイアウトの自由度が低下する。そこで、本発明では、係止部材を装着開口の端縁に対して着脱自在に構成することによって、任意のサイズのスイッチを取り付けることを可能にし、レイアウトの自由度を高めた。
請求項２の発明は、前記係止部材は、装着開口の横幅又は縦幅を超える長さを有した直線状の板金製であり、複数の係止部材を、前記装着開口内に横方向、或いは縦方向に差し渡して取り付けたことを特徴とする。
【０００６】
請求項３の発明は、筐体のパネルに設けた装着開口内に着脱自在に差し渡される支持機構部と、該支持機構部に対して着脱自在に取付けられる口座選択スイッチと、を備えた自動券売機において、前記支持機構部は、オプションユニットを着脱自在に支持する支持部を備えた枠体と、該枠体の内側端縁から一体的に延びた係止部材と、を備え、前記枠体の外側端縁と、前記係止部材の外側端縁は、夫々前記装着開口の対向し合う縁部に対して着脱自在に係止される構成を備えていることを特徴とする。
スイッチのみならず、カードリーダ、バーコードリーダ、非接触式ＩＣカードリーライタ等のように大型のオプションユニットを筐体に対して組み付ける際に、既存の装着開口を利用できれば、他の筐体部分に大きな改造を加える必要が無く便利である。本発明では、オプションユニットを支持する枠体と、係止部材とを一体化した支持機構部を装着開口に対して着脱自在に構成したので、オプションユニットをも任意のレイアウトで組み込むことが可能となる。
請求項４の発明は、請求項１、２、３に記載された係止部材の端縁、及び請求項３に記載された枠体の外側端縁には、前記装着開口の端縁にネジ止めするための穴と、該穴の両側に配置した位置決め用の凹所、或いは凸所が設けられていることを特徴とする。
【０００７】
【発明の実施の形態】
以下、本発明を図面に示した実施の形態により詳細に説明する。
図１（ａ）及び（ｂ）は本発明の一実施形態に係る自動券売機の構成を示す正面図であり、図２（ａ）及び（ｂ）は前面パネルの裏側を示す図、及び上面図であり、図３（ａ）（ｂ）（ｃ）及び（ｄ）は桟（係止部材）の構成を示す正面図、平面図、側面図、及び要部斜視図である。
図１に示す自動券売機は、例えば食堂における食券販売機１であり、筐体２の前面上部には前面パネル３が配置され、前面パネル３には各種口座選択スイッチ５（以下、スイッチ、という）を組み込むための装着開口４が形成されている。
装着開口４の下方には、紙幣挿入部６，硬貨投入部７，釣銭払出部８等が配置されている。
本発明の特徴的な構成の一つは、装着開口４に対してその裏側から、スイッチ係止用の桟（係止部材）を着脱自在に取り付けることによって、係止部材間に形成されるスイッチ装着用のスペースの間隔を任意に調節して、スペースサイズに見合った形状のスイッチの装着を可能とした点にある。従って、異なったサイズのスイッチを任意のレイアウトで配置することが可能となる。
本発明の券売機１によれば、図１（ａ）及び図４（ａ）に示すように小サイズのスイッチ５だけを装着開口４内に配列することもできるし、（ｂ）のように小型スイッチ５の他に大型スイッチ１０を組み込むこともできる。
図４（ｂ）は大型スイッチ１０だけを装着開口４に組み込んだ構成例、（ｃ）は小型スイッチ５と大型スイッチ１０を併用した構成例、（ｄ）は小型スイッチ５とカードリーダ１１を組み込んだ構成例、（ｅ）は小型スイッチ５と大型スイッチとカードリーダ１１を組み込んだ構成例、（ｆ）は小型スイッチ５とバーコードリーダ１２を組み込んだ構成例を示している。
【０００８】
上記の如きフリーレイアウトを可能とする本発明の特徴的な構成について、図２、図３等に基づいて説明する。
図２（ａ）は前面パネルを裏側から見た図であり、装着開口４の左右端縁部には、夫々係止部材３０をネジ止め固定するための取付け部材２０が配置されている。取付け部材２０は、図２（ｂ）に示すように平面形状がクランク形状の長尺な板金であり、一端部２０ａを装着開口４の端縁に溶着することによって固定される。取付け部材２０の他端部２０ｂと前面パネル３の裏面との間には空間が形成される。各取付け部材の他端部２０ｂには係止部材３０をネジ止めするための穴２１と、各穴２１の上下位置に夫々形成された位置決め用の小凹所２２が形成されている。小凹所２２は、係止部材３０側の対応する位置に設けた小凸所３４と嵌合することにより、取付け部材２０に対する係止部材３０の位置決めが確実、且つ容易となる。取付け部材２０の他端部２０ｂと前面パネル３の裏面との間に形成される空間は、両者をネジ止めした際にネジの先端をこの空所内に収容して前面パネル３の前面側から視認できなくすることができる（図５参照）。
次に、係止部材（桟）３０は、図３に示すように装着開口４の横幅に相当する長手方向寸法を有した略Ｕ字型の本体３１と、本体３１の両端部に溶着された取付け片３２と、を備えている。この係止部材３０を前面パネル３の裏側から装着開口４に組み付ける際には、本体３１を装着開口内に嵌合させる一方、両端部の取付け片３２を装着開口の裏面側両端縁に当接させて、取付け部材２０の穴２１に対して係止部材側のネジ穴３３を位置決めする。この際、取付け部材２０側の小凹所２２を、穴３３の両側に設けた小凸所３４に嵌合させることによって、穴同士の嵌合が確実となる。
図５は、装着開口４の取付け部材２０側の他端部２０ｂに対して係止部材３０をネジ止めした状態を示す断面図であり、小凹所２２内に小凸所３４が嵌合することにより、位置決めが確実となる。
図６（ａ）及び（ｂ）は、口座選択スイッチの一例を示す斜視図、及び組付け状態を示す断面図である。スイッチ５，１０は、スイッチ本体４０の前面に表示部４１を備え、本体の後端縁からは係止爪４２が突出している。これらの係止爪４２は、図６（ｂ）に示す如く、上下の係止部材３０間のスペース内に嵌合され、係止爪４２を各係止部材３０の裏面側に係止することによって固定される。取り外す際には、係止爪４２を弾性変形させて撓ませることにより、取外しが可能となる。
【０００９】
次に、図４（ｄ）或いは（ｆ）に示した前面パネルのレイアウト例を実現するための支持機構部の構成を図７、図８及び図９に基づいて説明する。
図７（ａ）（ｂ）及び（ｃ）は支持機構部の構成を示す正面図、平面図、及び側面図であり、図８（ａ）（ｂ）及び（ｃ）は支持機構部を装着開口に取り付けた状態を示す正面図、平面図、及び側面図であり、図９はオプションユニットの取付け状態を示す側面図である。
支持機構部５０は、筐体２の前面パネル３に設けた装着開口４内に着脱自在に差し渡されることによって、任意のサイズのスイッチや、任意のサイズのオプションユニット（カードリーダ１１、バーコードリーダ１２等）を着脱自在に支持するための手段である。
この支持機構部５０は、オプションユニット６０を着脱自在に支持する支持部（支持開口）５２を備えた枠体５１と、枠体５１の内側端縁５１ａから一体的に延びた係止部材（桟）５５と、各係止部材５５の外側端部間を連結する連結片５６と、を備えている。
枠体５１の外側端縁５１ｂと、各係止部材５５の外側端部は、夫々装着開口４の対向し合う縁部に対して着脱自在に係止される構成を備えている。装着開口４の縁部と、枠体５１や係止部材５５との着脱自在な取付け構造は、図２、図３に示した構成をそのまま転用可能である。
即ち、枠体５１の外側端縁５１ｂには、装着開口４の端縁（取付け部材２０）にネジ止めするための穴と、該穴の両側に配置した位置決め用の凹所、或いは凸所が設けられている。
【００１０】
図８に示した例では、装着開口４の左右両端縁に設けた取付け部材２０に対して、枠体５１の外側端縁５１ｂと各係止部材５５の外側端部をネジ止めによって固定している。
枠体５１の支持部５２は、カードリーダ、バーコードリーダ等のオプションユニット６０の前部を露出状態で支持する開口であり、開口サイズ、形状は、取り付けるオプションユニットのサイズ、形状に応じて変更する。支持部５２の内部には図９に示すようにオプションユニット６０の底部を支持する台座５３が配置されている。
従って、台座５３上にオプションユニット６０を載置して、その前部を支持部５２内に位置決めしつつ、図示しない固定手段によってオプションユニット６０を適所に固定することにより、取付けが完了する。
上記実施形態では、係止部材や支持機構部を装着開口に対して横方向に組み付ける構成を示したが、これは一例であり、縦方向に組み付けるようにしても差し支えはない。
なお、本発明は自動券売機のみならず、自動販売機一般のパネル構造に適用することができる。
【００１１】
【発明の効果】
以上のように本発明によれば、自動販売機のパネルに設けたスイッチ装着用の装着開口に対してスイッチ係止用の係止部材を着脱自在に構成することによって、筐体の前面パネルを製造し直したり、交換することなく、係止部材の取付け位置を変更する等の簡単な作業を行うだけで、任意の寸法、形状のスイッチや、任意のオプションユニットをスイッチ装着用のスペースに組み込むことが可能となる。
【図面の簡単な説明】
【図１】（ａ）及び（ｂ）は本発明の一実施形態に係る自動券売機の構成を示す正面図。
【図２】（ａ）及び（ｂ）は前面パネルの裏側を示す図、及び上面図。
【図３】（ａ）（ｂ）（ｃ）及び（ｄ）は桟（係止部材）の構成を示す正面図、平面図、側面図、及び要部斜視図。
【図４】（ａ）乃至（ｆ）は装着開口内のレイアウト例を示す図。
【図５】係止部材の取付け状態を示す断面図。
【図６】（ａ）及び（ｂ）はスイッチの一例の構成図。
【図７】（ａ）（ｂ）及び（ｃ）は支持機構部の構成例を示す正面図、平面図、及び側面図。
【図８】（ａ）（ｂ）及び（ｃ）は支持機構部を装着開口に取り付けた状態を示す正面図、平面図、及び側面図。
【図９】オプションユニットの取付け状態の一例を示す図。
【図１０】（ａ）及び（ｂ）は従来の自動券売機の正面図及び要部拡大図。
【符号の説明】
１  食券販売機、２  筐体、３  前面パネル、４  装着開口、５  口座選択スイッチ、６  紙幣挿入部，７  硬貨投入部，８  釣銭払出部、１０  大型スイッチ、１１  カードリーダ、１２  バーコードリーダ、２０  取付け部材、２０ａ一端部、２０ｂ  他端部、２１  穴、２２  小凹所、３０  係止部材（桟）、３２  取付け片、３３  穴、４０  口座選択スイッチ本体、４１  係止爪、５０支持機構部、５１  枠体、５２  支持部、５５  係止部材、６０  オプションユニット。
【図１】
2005062934.tif 000003
【図２】
2005062934.tif 000004
【図３】
2005062934.tif 000005
【図４】
2005062934.tif 000006
【図５】
2005062934.tif 000007
【図６】
2005062934.tif 000008
【図７】
2005062934.tif 000009
【図８】
2005062934.tif 000010
【図９】
2005062934.tif 000011
【図１０】
2005062934.tif 000012